(57)【要約】      （修正有）【課題】壁埋め込み式暖房器であって、外ケース内の燃焼筐の横方向一側の側部空間に制御機器を配置すると共に、燃焼筐の横方向他側の側部空間に排気ダクトを配置するものにおいて、各側部空間の冷却性能を高めると共に、室内空気の吸込み音による騒音を低減できるようにする。【解決手段】外ケース１の横方向両側の側板部に、室壁の前方に露出する前側部分に位置させて、空気取入れ口７を上下方向に長手に開設する。そして、外ケース１内の各側部空間１０，１３が各空気取入れ口７からの室内空気を温風ファン９に導く吸込み側の通風路に構成されるようにする。【選択図】図３
2006183923.tif 000002
【特許請求の範囲】
【請求項１】
室壁に形成した凹所に埋め込むようにして配置する壁埋め込み式暖房器であって、外ケースと、外ケース内に設けたバーナを内蔵する燃焼筐と、外ケース内に燃焼筐の後側に位置させて設けた燃焼筐からの燃焼排気を流す熱交換器と、外ケースに開設した空気取入れ口及び送風口と、室内空気を空気取入れ口から吸込み、熱交換器の配置部を経由して送風口から室内に送風する外ケース内の温風ファンとを備え、外ケース内の燃焼筐との間の横方向一側の側部空間に制御機器を配置すると共に、外ケース内の燃焼筐との間の横方向他側の側部空間に熱交換器の下流側の排気ダクトを配置するものにおいて、
外ケースの横方向両側の側板部に、室壁の前方に露出する前側部分に位置させて、空気取入れ口が上下方向に長手に開設され、外ケース内の各側部空間が各空気取入れ口からの室内空気を温風ファンに導く吸込み側の通風路に構成されることを特徴とする壁埋め込み式暖房器。
【請求項２】
前記送風口は、前記外ケースの前面下部に開設され、前記温風ファンは、外ケース内の前記燃焼筐の上方空間に配置されることを特徴とする請求項１記載の壁埋め込み式暖房器。
【請求項３】
前記排気ダクトは、前記熱交換器に排気ファンを介して接続され、前記外ケース内の前記横方向他側の側部空間は、排気ダクトより下方の下部空間と排気ダクトが配置された上部空間とに区画され、下部空間に流入した室内空気を排気ファンを駆動するファンモータの配置部を経由して上部空間に導く導風路が設けられることを特徴とする請求項２記載の壁埋め込み式暖房器。
【請求項４】
前記送風口は、前記外ケースの前面下部に開設され、前記外ケース内の横方向両側の側部空間の少なくとも一方に、前記空気取入れ口の下部近傍に位置させて、空気取入れ口から吸込まれる室内空気の温度を検出する温度センサが設けられることを特徴とする請求項１記載の壁埋め込み式暖房器。
【請求項５】
前記外ケースの前記各側板部の前記空気取入れ口の開設箇所に、空気取入れ口を覆うフィルタが着脱自在に装着されると共に、フィルタを覆うルーバー部材が開閉自在に取り付けられていることを特徴とする請求項１〜４の何れか１項に記載の壁埋め込み式暖房器。
【発明の詳細な説明】
【技術分野】
【０００１】
本発明は、室壁に形成した凹所に埋め込むようにして配置する壁埋め込み式暖房器に関する。
【背景技術】
【０００２】
従来、この種の壁埋め込み式暖房器として、外ケースと、外ケース内に設けたバーナを内蔵する燃焼筐と、外ケース内に燃焼筐の後側に位置させて設けた燃焼筐からの燃焼排気を流す熱交換器と、外ケースに開設した空気取入れ口及び送風口と、室内空気を空気取入れ口から吸込み、熱交換器の配置部を経由して送風口から室内に送風する外ケース内の温風ファンとを備え、外ケース内の燃焼筐との間の横方向一側の側部空間に制御機器を配置すると共に、外ケース内の燃焼筐との間の横方向他側の側部空間に熱交換器の下流側の排気ダクトを配置して成るものは知られている(例えば、特許文献１参照)。
【０００３】
ところで、床置き型の通常の暖房器では、一般的に、外ケースの背面に空気取入れ口を開設しているが、壁埋め込み式暖房器では、外ケースが室壁の凹所に入り込むため、外ケースの背面側から室内空気を吸込むことはできない。そこで、上記従来例のものでは、外ケースの底板部を床面から浮かせて、底板部に空気取入れ口を開設し、この空気取入れ口の後側に温風ファンを配置して、空気取入れ口から燃焼筐の下方空間を介して温風ファンに室内空気を吸引し、温風ファンから燃焼筐の後側の熱交換器の配置部と燃焼筐の上方空間とを経由して外ケースの前面上部の送風口に室内空気を送風するようにしている。
【０００４】
ここで、空気取入れ口には、外ケース内への塵埃の侵入を防止するためフィルタを装着している。そして、フィルタを定期的に取り外してその掃除を行うことが必要になるが、上記従来例のように外ケースの底板部に空気取入れ口を開設したのでは、フィルタの着脱が面倒になり、メンテナンス性が悪くなる。
【０００５】
かかる不具合を解消するため、外ケースの前面に送風口に加えて空気取入れ口を開設したものも知られている(例えば、特許文献２参照)。然し、このものでは、空気取入れ口から室内空気が吸込まれる際に発生する吸込み音が外ケースの前面から前方に直接放射されて、騒音が大きくなる。尚、外ケースの底板部に空気取入れ口を開設する場合も、底板部と床面との間の空間で吸込み音が反響し、この反響音が暖房器の前方に放射されて比較的大きな騒音を生ずる。
【０００６】
また、上記特許文献１に記載の暖房器のように、外ケース内の横方向一側の側部空間と他側の側部空間とに夫々制御機器と排気ダクトとを配置する場合、燃焼筐からの熱で制御機器の温度が上昇してその熱損を生ずる虞があると共に、他側の側部空間の温度が燃焼筐からの熱及び排気ダクトからの熱で上昇し、室壁の過熱を生ずる虞がある。
【特許文献１】実公平５−３７１２９号公報
【特許文献２】実開平６−６９６０２号公報
【発明の開示】
【発明が解決しようとする課題】
【０００７】
本発明は、以上の点に鑑み、メンテナンス性を損なうことなく吸込み音による騒音の増加を抑制でき、且つ、外ケース内の側部空間の冷却性能も確保できるようにした壁埋め込み式暖房器を提供することをその課題としている。
【課題を解決するための手段】
【０００８】
上記課題を解決するために、本発明は、室壁に形成した凹所に埋め込むようにして配置する壁埋め込み式暖房器であって、外ケースと、外ケース内に設けたバーナを内蔵する燃焼筐と、外ケース内に燃焼筐の後側に位置させて設けた燃焼筐からの燃焼排気を流す熱交換器と、外ケースに開設した空気取入れ口及び送風口と、室内空気を空気取入れ口から吸込み、熱交換器の配置部を経由して送風口から室内に送風する外ケース内の温風ファンとを備え、外ケース内の燃焼筐との間の横方向一側の側部空間に制御機器を配置すると共に、外ケース内の燃焼筐との間の横方向他側の側部空間に熱交換器の下流側の排気ダクトを配置するものにおいて、外ケースの横方向両側の側板部に、室壁の前方に露出する前側部分に位置させて、空気取入れ口が上下方向に長手に開設され、外ケース内の各側部空間が各空気取入れ口からの室内空気を温風ファンに導く吸込み側の通風路に構成されることを特徴とする。
【０００９】
上記の構成によれば、空気取入れ口の開設箇所が室壁の前方に露出するため、空気取入れ口にフィルタを容易に着脱でき、メンテナンス性が損なわれることはない。そして、空気取入れ口は外ケースの側板部に開設されているため、吸込み音は暖房器の側方に放射され、暖房器の前方における吸込み音の騒音レベルは低くなる。
【００１０】
また、外ケースの各側板部の空気取入れ口から流入した室内空気は外ケース内の各側部空間を通って温風ファンに吸込まれる。しかも、空気取入れ口は上下方向に長手であるため、各側部空間の上下方向広範囲に亘って室内空気が流れ、この空気流により各側部空間が効果的に空冷される。従って、側部空間の温度上昇で室壁の過熱を生じたり、制御機器の熱損を生じたりすることを確実に防止できる。
【００１１】
ところで、暖房効率を向上させるには、温風が床面に近い位置で吹出されるように、外ケースの前面下部に送風口を開設することが望まれる。この場合、温風ファンを熱交換器の配置部下方に配置し、外ケース内の各側部空間を通過した室内空気を熱交換器の配置部上方から熱交換器の配置部を経由して温風ファンに吸引することも考えられる。然し、これでは、温度が上昇しやすい外ケース内の燃焼筐の上方空間に室内空気が流れにくくなり、外ケースの上面の温度が上昇して室壁の過熱を生ずる可能性がある。これに対し、外ケース内の燃焼筐の上方空間に温風ファンを配置すれば、燃焼筐の上方空間も効果的に空冷され、外ケースの上面の温度上昇による室壁の過熱も確実に防止される。
【００１２】
また、燃焼筐内の燃焼排気を熱交換器を介して強制的に吸引するため、熱交換器に排気ファンを介して排気ダクトを接続することがある。この場合、排気ファンを駆動するファンモータは、モータ自身の発熱に加えて燃焼排気の熱が伝熱されるため過熱し易く、ファンモータの冷却が必要になる。ここで、上記の如く外ケース内の燃焼筐の上方空間に温風ファンを配置すると共に、外ケース内の前記横方向他側の側部空間を、排気ダクトより下方の下部空間と排気ダクトが配置された上部空間とに区画し、下部空間に流入した室内空気を排気ファンを駆動するファンモータの配置部を経由して上部空間に導く導風路を設けておけば、下部空間に流入した室内空気は上部空間に作用する温風ファンの吸引力により導風路に強制的に流れ、この空気流でファンモータを空冷できる。
【００１３】
また、上記の如く外ケースの前面下部に送風口を開設した場合、暖房器の前面近傍に温風の前方への流れを阻害する物(障害物)が置かれると、障害物の過熱や床面の過熱を生ずる虞がある。ここで、温風が障害物に当たると、温風の一部は障害物を乗り越えて上方に流れるが、床面近くの温風は流れが横向きに変向され、その一部がショートサーキットして外ケースの側板部に開設した空気取入れ口の下部から吸込まれる。従って、外ケース内の横方向両側の側部空間の少なくとも一方に、空気取入れ口の下部近傍に位置させて、空気取入れ口から吸込まれる室内空気の温度を検出する温度センサを設けておけば、温風のショートサーキットで温度センサの検出温度が大幅に上昇する。その結果、暖房器の前面近傍に障害物が置かれたときに、これを温度センサの検出温度の変化で検出でき、バーナの燃焼量を減少するかバーナを消火して、障害物や床面の過熱を生ずることを防止できる。
【００１４】
尚、外ケースの各側板部の空気取入れ口の開設箇所には、空気取入れ口を覆うフィルタを着脱自在に装着すると共に、フィルタを覆うルーバー部材を開閉自在に取り付けることが望ましい。これによれば、常時はルーバ部材を閉じておくことにより、フィルタを目隠しして体裁を良好に保つことができ、また、ルーバー部材を開くことで、フィルタを取り外して掃除を行うことができ、メンテナンス性も良好になる。
【発明を実施するための最良の形態】
【００１５】
以下、壁埋め込み式の暖炉型暖房器に本発明を適用した実施形態について説明する。この暖房器は、図１乃至図４に示す如く、外ケース１と、外ケース１内に設けた燃焼筐２とを備えている。外ケース１は、底板部１ａと、左右の側板部１ｂと、背板部１ｃと、上板部１ｄと、前面パネル１ｅと、背板部１ｃの背面の左寄りの部分に取付けられるエクステンションケース１ｆとで構成されている。また、外ケース１は、図４に示す如く、室壁Ｗに形成した凹所Ｗａに埋め込むようにして設置され、室壁Ｗの前方に露出するのは外ケース１の前部のみになる。
【００１６】
燃焼筐２内の下部には、バーナ３が配置されている。また、燃焼筐２内に、バーナ３の上端部を嵌合させる開口を形成したバーナ支持板２ａを配置し、バーナ支持板２ａ上に、セラミックス等の耐火材で形成された擬似薪４を配置している。そして、燃焼筐２の前面にガラス板２ｂを装着すると共に、外ケース１の前面パネル１ｅに、ガラス板２ｂを臨ませる窓部１ｇを開設している。かくして、前面パネル１ｅの前方から燃焼筐２内を目視できるようになり、バーナ３を燃焼させたときに、恰も擬似薪４が燃えているような視覚的印象を与えることができる。尚、前面パネル１ｅを、その窓部１ｇの周縁部が燃焼筐２の前面周縁部に密着するように形成することも可能であるが、本実施形態では、窓部１ｇが燃焼筐２の前方に若干離れるように前面パネル１ｅを形成し、窓部１ｇに窓ガラス１ｈを装着している。また、燃焼筐２の底面には給気ダクト５が接続されており、後述する排気ファン１４の吸引力により屋外の空気が給気ダクト５を介して燃焼筐２内に強制的に供給される。
【００１７】
また、外ケース１内には、燃焼筐２の後側に位置させて、燃焼筐２からの燃焼排気が連通管６ａを介して流入する熱交換器６が配置されている。そして、外ケース１に空気取入れ口７及び送風口８を開設すると共に、外ケース１内に、室内空気を空気取入れ口７から吸込み、熱交換器６の配置部を経由して送風口８から室内に送風する温風ファン９を配置し、温風暖房機能を得られるようにしている。ここで、暖房効率を向上させるには、温風が床面に近い位置で吹出されるようにすることが望まれる。そこで、本実施形態では、外ケース１の前面パネル１ｅの窓部１ｇの下側の部分に送風口８を横方向に長手に開設している。また、温度が上昇しやすい外ケース１内の燃焼筐２の上方空間の冷却性能を確保するため、燃焼筐２の上方空間に温風ファン９を配置している。そして、温風ファン９に吸込まれる空気取入れ口７からの室内空気を熱交換器６の配置部と、燃焼筐２の下方空間とを経由して送風口８に送風するようにしている。尚、燃焼筐２の左右両外側には、外ケース１の底板部１ａと背板部１ｃとに達する仕切り板２ｃ，２ｃが配置されており、温風ファン９から送風される空気が横方向に逃げることを両仕切り板２ｃ，２ｃで防止できるようにしている。また、燃焼筐２の下方には、熱交換器６の配置部を通過した空気を送風口８に導くガイド板２ｄが配置されている。
【００１８】
外ケース１内には、更に、燃焼筐２との間の横方向一側(右側)の側部空間１０(燃焼筐２の右側の仕切り板２ｃと外ケース１の右側の側板部１ｂとの間の空間)に位置させて、電子コントロールユニット１１やバーナ３用のバルブユニット１２から成る制御機器が配置され、また、燃焼筐２との間の横方向他側(左側)の側部空間１３(燃焼筐２の左側の仕切り板２ｃと外ケース１の左側の側板部１ｂとの間の空間)には、熱交換器６の下流側にエクステンションケース１ｆ内の排気ファン１４(図２参照)を介して接続される排気ダクト１５が配置されている。この場合、燃焼筐２からの熱で電子コントロールユニット１１やバルブユニット１２の温度が上昇してその熱損を生ずる虞があると共に、左側の側部空間１３の温度が燃焼筐２からの熱及び排気ダクト１５からの熱で上昇し、室壁Ｗの過熱を生ずる虞がある。
【００１９】
そこで、本実施形態では、外ケース１の左右の各側板部１ｂに、室壁Ｗの前方に露出する前側部分に位置させて、空気取入れ口７を上下方向に長手に開設している。かくして、外ケース１内の各側部空間１０，１３が各空気取入れ口７からの室内空気を温風ファン９に導く吸込み側の通風路となり、各側部空間１０，１３の上下方向広範囲に亘って室内空気が流れ、この空気流により各側部空間１０，１３が効果的に空冷される。従って、側部空間１０，１３の温度上昇で室壁Ｗの過熱を生じたり、電子コントロールユニット１１やバルブユニット１２の熱損を生じたりすることを確実に防止できる。
【００２０】
外ケース１の各側板部１ｂの空気取入れ口７の開設箇所には、図５に示す如く、空気取入れ口７を覆うフィルタ７ａが着脱自在に装着されると共に、フィルタ７ａを覆うルーバー部材７ｂが前後一方の縁部、例えば、後縁部のヒンジ７ｃにより開閉自在に取り付けられている。かくして、空気取入れ口７からの塵埃の侵入が防止されると共に、常時はフィルタ７ａがルーバー部材７ｂで目隠しされて、体裁が良好に保たれる。また、ルーバー部材７ｂを開くことで、フィルタ７ａを取り外して掃除を行うことができ、メンテナンス性も良好になる。
【００２１】
また、少なくとも一方の側部空間、例えば、右側の側部空間１０には、図３に示す如く、空気取入れ口７の下端近傍に位置させて、空気取入れ口７から吸込まれる室内空気の温度を検出する温度センサ１６が配置されている。ここで、上記の如く外ケース１の前面パネル１ｅの下部に送風口８を開設した場合、暖房器の前面近傍に温風の前方への流れを阻害する物(障害物)が置かれると、障害物の過熱や床面の過熱を生ずる虞がある。温風が障害物に当たると、温風の一部は障害物を乗り越えて上方に流れるが、床面近くの温風は流れが横向きに変向され、その一部がショートサーキットして外ケース１の側板部１ｂに開設した空気取入れ口７の下部から吸込まれる。そして、このような温風のショートサーキットで温度センサ１６の検出温度が大幅に上昇する。その結果、暖房器の前面近傍に障害物が置かれたときに、これを温度センサ１６の検出温度の変化で検出でき、バーナ３の燃焼量を減少するかバーナ３を消火して、障害物や床面の過熱を生ずることを防止できる。
【００２２】
外ケース１内の左側の側部空間１３は、図２に示す如く、排気ダクト１５より下方の下部空間１３ａと、排気ダクト１５が配置された上部空間１３ｂとに仕切り板１３ｃで区画されている。そして、下部空間１３ａに流入した空気をエクステンションケース１ｆ内に配置した排気ファン１４用のファンモータ１４ａの配置部を経由して上部空間１３ｂに導く導風路１７を設けている。導風路１７は、外ケース１の背板部１ｃに形成した下部空間１３ａに臨む第１通気口１７ａと、第１通気口１７ａからの空気をファンモータ１４ａの配置部に導くエクステンションケース１ｆ内の空気ガイド部材１７ｂと、外ケース１の背板部１ｃに形成した上部空間１３ｂに臨む第２通気口１７ｃとで構成されている。これによれば、第１通気口１７ａから空気ガイド部材１７ｂによってファンモータ１４ａの配置部に導かれた空気が、ファンモータ１４ａの配置部を通過して排気ファン１４の外面に向けて前方に流れ、ファンモータ１４ａの空冷が行われる。かくして、燃焼排気の熱によるファンモータ１４ａの熱損が防止される。また、ファンモータ１４ａの配置部を通過した空気は、エクステンションケース１ｆ内から第２通気口１７ｃを介して上部空間１３ｂに流れ、温風ファン９に吸込まれる。
【００２３】
尚、外ケース１の前面パネル１ｅに、窓部１ｇの左右両外側に位置させて空気取入れ口７を開設することも考えられる。然し、これでは、前面パネル１ｅが開口部の多い煩雑な感じになって体裁が悪くなると共に、空気取入れ口７から室内空気が吸込まれる際に発生する吸込み音が暖房器の前方に直接放射されて、騒音が大きくなる。一方、本実施形態の如く外ケース１の側板部１ｂに空気取入れ口７を開設すれば、前面パネル１ｅがスッキリした感じになって体裁が良くなると共に、吸込み音は暖房器の側方に放射され、暖房器の前方における吸込み音の騒音レベルは低くなる。
【００２４】
上記温風ファン９は、軸方向から空気を吸込むシロッコファンで構成される。ここで、温風ファン９の軸長は強度上左程長くできない。本実施形態の暖房器の横方向寸法は９０ｃｍ近くもあり、そこで、燃焼筐２の上方空間に、温風ファン９をその軸方向を横方向に沿わせた姿勢で左右一対に並設し、両温風ファン９，９の間に両温風ファン９，９を駆動する共通のファンモータ９ａを配置している。外ケース１内の各側部空間１０，１３に流れた室内空気は大部分が各温風ファン９にその軸方向外端の吸込み口９ｂから吸込まれる。また、各空気取入れ口７から流入した室内空気の一部は、燃焼筐２の前面と前面パネル１ｅとの間の空隙と燃焼筐２の上方空間とを経由して各温風ファン９にその軸方向内端の吸込み口９ｃから吸込まれる。
【００２５】
また、図６に明示されているように、外ケース１の前面パネル１ｅの背面には、窓部１ｇの上側に位置させて、前面パネル１ｅとの間に通気路１８ａを画成する横方向に長手のダクト１８が取付けられている。ダクト１８の横方向両端部は、左右の空気取入れ口７，７の上部に連通している。また、ダクト１８には、温風ファン９用のファンモータ９ａの近傍部分、即ち、ダクト１８の横方向中央部に位置させて、空気出口１８ｂが開設されている。
【００２６】
これによれば、左右の各空気取入れ口７の上部からの室内空気がダクト１８の左右の各半部を通過し、空気出口１８ｂからファンモータ９ａの配置部を経由して各温風ファン９にその軸方向内端の吸込み口９ｃから吸込まれる。従って、前面パネル１ｅの窓部１ｇの上側のパネル部分がダクト１８に流れる室内空気により空冷され、ユーザがこのパネル部分に触れても熱い思いをせずに済む。また、燃焼筐２の上方空間はファンモータ９ａにとって温度条件が厳しい場所であるが、ダクト１８の空気出口１８ｂからの空気がファンモータ９ａの配置部に流れるため、ファンモータ９ａが効果的に空冷され、ファンモータ９ａの熱損は生じない。
【００２７】
尚、ファンモータ９ａの熱損を確実に防止するには、ファンモータ９ａへの燃焼筐２からの伝熱も抑制する必要がある。そこで、燃焼筐２の上方に、燃焼筐２の上面との間に熱交換器６の配置部に連通する空隙１９ａを画成する仕切り板１９を配置し、この仕切り板１９上に左右一対の温風ファン９，９及びファンモータ９ａを搭載している。そして、各温風ファン９から吹出される空気の少なくとも一部を空隙１９ａを経由して熱交換器６の配置部に流すことにより、仕切り板１９を空冷し、ファンモータ９ａへの燃焼筐２からの伝熱が抑制されるようにしている。
【００２８】
ここで、仕切り板１９上に、各温風ファン９をその吹出し口９ｄが燃焼筐２の上面に対向するように搭載し、温風ファン９から吹出される空気が全て前記空隙１９ａを経由して熱交換器６の配置部に流れるようにすることも考えられる。然し、これでは、空隙１９ａでの圧損が大きくなり、送風口８から室内に送風される温風の風量が減少する。そこで、本実施形態では、仕切り板１９上に、各温風ファン９をその吹出し口９ｄが熱交換器６の配置部の直上部に臨むように搭載し、仕切り板１９の下面に、図７に示す如く、各温風ファン９の吹出し口９ｄから吹出される空気の一部を空隙１９ａに導く分流板２０を取り付けている。これによれば、空隙１９ａでの圧損が小さくなり、温風の風量が減少することを防止できる。尚、分流板２０は、仕切り板１９のファンモータ９ａの搭載箇所の下面に、分流板２０の横方向両端部を左右の温風ファン９，９の吹出し口９ｄ，９ｄのファンモータ９ａ側の端部に臨ませた状態で配置されている。そのため、両温風ファン９，９から吹出される空気の一部が分流板２０に案内されて仕切り板１９のファンモータ９ａの搭載箇所の下面に沿って流れ、ファンモータ９ａの搭載箇所が効率良く空冷される。尚、本実施形態では、仕切り板１９上にファンモータ９ａをマウントラバー９ｅを介して搭載しているが、仕切り板１９の空冷によりマウントラバー９ｅの熱劣化も効果的に防止できる。
【００２９】
ところで、暖房器の運転中に電源コンセントが抜かれたり停電したりして電源が落ち、温風ファン９が停止すると、バーナ３の燃焼を停止しても、燃焼筐２や熱交換器６等からの放熱で外ケース１内の温度が上昇する。この場合、通常は、外ケース１内の熱気が空気取入れ口７から外部に逃げ、外ケース１内の温度が過度に上昇することはない。然し、フィルタ７ａが目詰まりしていると、熱気を外部に逃がせなくなる。特に、壁埋め込み式の暖房器では外ケース１が室壁Ｗで囲われて、外ケース１を介しての放熱が制限されるため、外ケース１内の温度が過度に上昇して、電子コントロールユニット１１等の熱損を生ずる可能性がある。
【００３０】
そこで、本実施形態では、外ケース１の上板部１ｄに、図８に示す如く、室壁Ｗの前方に露出する前側部分に位置させて、外ケース１の内外を連通する通気口２１を開設し、外ケース１内の熱気を通気口２１を介して外部に逃がすことができるようにしている。この場合、通気口２１を介しての外ケース１内への塵埃の侵入を防止するために、通気口２１にフィルタを装着することも考えられるが、これでは、フィルタの目詰まりで通気口２１から熱気を逃がすことができなくなる可能性がある。そこで、通気口２１に蓋部材２２を設けて、常時は通気口２１を閉塞することにより通気口２１からの塵埃の侵入を防止し、外ケース１内の温度が上昇したときにのみ、蓋部材２２を開いて、通気口２１から外ケース１内の熱気を逃がすようにしている。
【００３１】
ここで、上板部１ｄの前側部分の下面には、樋状の裏板１ｉが取付けられて、上板部１ｄが上板本体と裏板１ｉとの上下２重構造になっており、上板本体と裏板１ｉとに上下２段に通気口２１が開設されている。そして、裏板１ｉに、蓋部材２２をヒンジ２２ａにより、裏板１ｉの通気口２１を閉塞する図８(ａ)に示す水平の閉じ位置と、通気口２１を開放する図８(ｂ)に示す斜め上方の開き位置とに傾動自在に取付けている。蓋部材２２のヒンジ２２ａ側の縁部には下方に屈曲するレバー部２２ｂが曲成されており、裏板１ｉの下面に固設したブラケット１ｊとレバー部２２ｂとの間にばね２３を張設して、蓋部材２２がばね２３により閉じ位置に付勢されるようにしている。
【００３２】
また、ブラケット１ｊには、図９に明示する如く、熱動部材たるワックスサーモエレメント２４が取付けられている。ワックスサーモエレメント２４は、ワックスを封入したシリンダ２４ａと、ワックスの熱膨張でシリンダ２４ａから押し出されるロッド２４ｂとで構成されている。そして、通気口２１から離れたブラケット１ｊの端部にロッド２４ｂを連結し、シリンダ２４ａの端部を通気口２１に近いブラケット１ｊの端部に摺動自在に挿通させてレバー部２２ｂに対向させている。外ケース１内の温度が上昇すると、ワックスの熱膨張でロッド２４ｂに対しシリンダ２４ａがレバー部２２ｂ側に押され、レバー部２２ｂに作用するシリンダ２４ａの押圧力がばね２３の付勢力を上回ったところで蓋部材２２が開かれる。かくして、暖房器の運転中に電源が落ち、空気取入れ口７からの熱気の逃げがフィルタ７ａの目詰まりで阻害されたまま、外ケース１内の温度が上昇したときは、ワックスサーモエレメント２４により蓋部材２２が開かれて、外ケース１内の熱気が通気口２１から外部に逃げる。従って、外ケース１内の温度は過度に上昇せず、電子コントロールユニット１１の熱損が防止される。また、常時は、ばね２３により蓋部材２２が閉じ位置に付勢保持されるため、暖房器の運転時の振動で蓋部材２２がガタツクことはなく、蓋部材２２のガタツキによる異音の発生も防止される。
【００３３】
尚、ワックスサーモエレメント２４は、一旦伸張すると温度が低下しても収縮せず、そのため、ワックスサーモエレメント２４に、これを収縮方向に付勢するばね２４ｃを外挿している。但し、蓋部材２２用のばね２３のばね力を強めに設定すれば、ばね２４ｃは省略可能である。また、上板部１ｄの前側部分の上面には、通気口２１を上方から覆って異物の落下を防止するガード部材１ｋが設けられると共に、ガード部材１ｋ及び通気口２１を目隠しする上カバー１ｌがスペーサ１ｍを介して載置されている。更に、上板部１ｄの前側部分の右寄りの部分には、運転スイッチ２５ａと各種点検スイッチとを具備する操作基盤２５が設けられている。通気口２１は、操作基盤２５の配置部を避けて開設されている。また、操作基盤２５は上カバー１ｌで覆われ、運転スイッチ２５ａのみが上カバー１ｌに形成した穴を通して上方に露出する。
【００３４】
ところで、本実施形態では、蓋部材２２を開くための熱で変形する熱動部材としてワックスサーモエレメント２４を用いたが、バイメタルや形状記憶合金等で熱動部材を構成することも可能である。
【００３５】
燃焼筐２の前面の上記したガラス板２ｂは、燃焼筐２の本体前面に着脱自在な前面扉２ｅに装着されており、前面扉２ｅを取外した状態で燃焼筐２内のバーナ３のメンテナンスを行うことができるようにしている。この前面扉２ｅは、燃焼筐２の本体前面の左右両側部の下端部に形成した係合孔２ｆ(図３参照)に前面扉２ｅの左右両側部の下端部に突設した爪片２ｇ(図４参照)において前後方向に傾動自在に係止される。また、燃焼筐２の上面に、前面扉２ｅ用の左右一対の付勢手段２６を配置し、前面扉２ｅの上端部を付勢手段２６により後方に付勢して、前面扉２ｅをその背面に取付けたパッキン２ｈを介して燃焼筐２の本体前面に密着させるようにしている。
【００３６】
各付勢手段２６は、図１０及び図１１に示す如く、燃焼筐２の上面に固定したブラケット２６ａと、ブラケット２６ａに前後方向に移動自在に支持されるスライダ２６ｂと、ブラケット２６ａの後端とスライダ２６ｂの後端との間に張設した、スライダ２６ｂを後方に付勢するばね２６ｃとで構成されている。スライダ２６ｂは板状であって、スライダ２６ｂの前端に曲成した上方への折曲げ部にナット２６ｄがかしめ付けられている。そして、前面扉２ｅの上端部の各付勢手段２６に対向する箇所に前方から挿通するボルト２６ｅをスライダ２６ｂの前端のナット２６ｄに螺合させて、スライダ２６ｂを前方に引き寄せることによりばね２６ｃを引張るようにしている。これによれば、ばね２６ｃの引張り反力でスライダ２６ｂを介して前面扉２ｅの上端部が後方に付勢される。
【００３７】
ここで、燃焼筐２の前面にガラス板２ｂが固定されていると、燃焼筐２内での爆発着火を生じた場合、燃焼筐２の急激な内圧上昇でガラス板２ｂが割れる可能性がある。一方、本実施形態では、爆発着火で燃焼筐２の内圧が上昇すると、前面扉２ｅが係合孔２ｆに係合する下端の爪片２ｇを支点にして付勢手段２６の付勢力に抗して前方に傾動する。その結果、燃焼筐２と前面扉２ｅとの間に隙間が空き、この隙間から燃焼筐２内の高圧ガスが逃げて、ガラス板２ｂの破損が防止される。
【００３８】
スライダ２６ｂは、ブラケット２６ａの両側部に形成した折返し部２６ｆにより前後方向には動くが横方向及び上方には動かないように支持されている。そして、このスライダ２６ｂに前面扉２ｅの上端部がボルト２６ｅを介して連結されるため、前面扉２ｅの横振れは生じない。従って、前面扉２ｅの横振れを防止するための別途の安定化手段が不要になり、構造を簡素化してコストダウンを図ることができる。
【００３９】
また、スライダ２６ｂの側縁の前後方向中間部分には肩部２６ｇが形成されている。そして、ブラケット２６ａの前端に、肩部２６ｇに係合してスライダ２６ｂの前方への移動を所定位置で規制する前進ストッパ部２６ｈを設けている。この所定位置は、スライダ２６ｂにボルト２６ｅを介して連結される前面扉２ｅの上端部が前面パネル１ｅに当接しないような位置に設定されている。かくして、燃焼筐２と前面パネル１ｅとの間の前後方向間隔を左程広く確保しなくても、爆発着火時に前面扉２ｅが勢い良く前方に傾動して、前面パネル１ｅに前面扉２ｅの上端部が衝突することを確実に防止できる。
【００４０】
また、ブラケット２６ａには、スライダ２６ｂの後端に当接してスライダ２６ｂの後方への移動を所定位置で規制する後退ストッパ部２６ｉが設けられている。従って、前面扉２ｅの取付け時に、当初、スライダ２６ｂが前面扉２ｅの上端部の後方に大きく離れ、スライダ２６ｂを前面扉２ｅに引き寄せるまでのストロークが過大になることを防止できる。但し、前面扉２ｅの上端部に単純にボルト２６ｅを挿通すると、ボルト２６ｅが傾き、前面扉２ｅの上端部の後方にスライダ２６ｂが左程離れていなくても、スライダ２６ｂ(ナット２６ｄ)にボルト２６ｅを螺合させることが困難になる。そこで、前面扉２ｅの上端部のボルト挿通箇所を、図１１に示す如く、前板部２ｉと、前板部２ｉの上端から後方にのびる上板部２ｊと、上板部２ｊの後端から下方にのびる後板部２ｋとを有する断面逆Ｕ字状に形成し、前板部２ｉと後板部２ｋとにボルト挿通孔２ｌを形成している。これによれば、ボルト２６ｅが前板部２ｉと後板部２ｋとの前後２箇所で支持されることになり、ボルト２６ｅの傾きが抑制されて、スライダ２６ｂにボルト２６ｅを容易に螺合できる。
【００４１】
ところで、前面扉２ｅを付勢手段２６により後方に付勢して取付けると、燃焼筐２の前面にガラス板２ｂを固定するものに比し、燃焼筐２の前面のシール性が低下する虞がある。ここで、本実施形態では、屋外空気を給気経路(給気ダクト５)を介して燃焼筐２内に供給すると共に、燃焼筐２内の燃焼排気を熱交換器６と排気ダクト１５とから成る排気経路を介して屋外に排出する強制給排気用のファンを排気経路に介設した排気ファン１４で構成している。そのため、燃焼筐２内が排気ファン１４の吸引力で負圧になる。従って、前面扉２ｅは燃焼筐２の内外の圧力差で燃焼筐２の前面に押し付けられ、燃焼筐２の前面のシール性が低下することはない。
【００４２】
以上、外ケース１の前面パネル１ｅに開設した窓部１ｇと燃焼筐２の前面のガラス板２ｂとを通して燃焼筐２内を目視できるようにした暖炉型の壁埋め込み式暖房器に本発明を適用した実施形態について説明したが、燃焼筐２内を目視不能とした温風暖房型の壁埋め込み式暖房器にも同様に本発明を適用できる。
【図面の簡単な説明】
【００４３】
【図１】本発明の実施形態の暖房器の右側の斜め前方から見た斜視図。
【図２】実施形態の暖房器の左側の斜め後上方から見た斜視図。
【図３】実施形態の暖房器の前面パネルと燃焼筐の前面扉を取外した状態の正面図。
【図４】図３にＩＶ−ＩＶ線で示す位置で切断した実施形態の暖房器の切断側面図。
【図５】図３にＶ−Ｖ線で示す位置で切断した実施形態の暖房器の空気取入れ口部分の拡大切断平面図。
【図６】実施形態の暖房器の前面パネルの斜め後方から見た斜視図。
【図７】実施形態の暖房器の温風ファンの配置部の斜め下方から見た斜視図。
【図８】(ａ)実施形態の暖房器の上面の通気口開設箇所の斜視図、(ｂ)通気口に設けた蓋部材が開かれた状態の斜視図。
【図９】実施形態の暖房器の上面の通気口開設箇所の切断側面図。
【図１０】実施形態の暖房器の燃焼筐の前面扉用の付勢手段を示す斜視図。
【図１１】図１０のＸＩ−ＸＩ線で切断した切断側面図。
【符号の説明】
【００４４】
Ｗ…室壁、Ｗａ…凹所、１…外ケース、１ｂ…側板部、１ｅ前面パネル、２…燃焼筐、３…バーナ、６…熱交換器、７…空気取入れ口、７ａ…フィルタ、７ｂ…ルーバー部材、７ｃ…ヒンジ、８…送風口、９…温風ファン、１０…一側の側部空間、１１…電子コントロールユニット(制御機器)、１２…バルブユニット(制御機器)、１３…他側の側部空間、１３ａ…下部空間、１３ｂ…上部空間、１４…排気ファン、１４ａ…ファンモータ、１５…排気ダクト、１６…温度センサ、１７…導風路。
【図１】
2006183923.tif 000003
【図２】
2006183923.tif 000004
【図３】
2006183923.tif 000005
【図４】
2006183923.tif 000006
【図５】
2006183923.tif 000007
【図６】
2006183923.tif 000008
【図７】
2006183923.tif 000009
【図８】
2006183923.tif 000010
【図９】
2006183923.tif 000011
【図１０】
2006183923.tif 000012
【図１１】
2006183923.tif 000013